(57)【要約】【課題】  携帯用機器の操作性携帯性を向上させることができる携行補助用具を提供する。【解決手段】イヤホン６とチャンネル切り換えスイッチＧ１、Ｇ２及び音量調節スイッチＧ３、Ｇ４とアンテナ部材７を共通の外装部材８で覆うことにより、携帯用機器１からイヤホン６とチャンネル切り換えスイッチＧ１、Ｇ２及び音量調節スイッチＧ３、Ｇ４とアンテナ部材７を単一の方向に引出すことができるので、携帯性及び操作性が向上する。また、携帯用機器が小型化されて本体の操作部が小さくなっても携行補助用具５側で十分良好な操作性を実現することができる。【選択図】  図１
2005340868.tif 000002
【特許請求の範囲】
【請求項１】
基板上に設けられた入力手段及びアンテナ部材が外装部材に覆われ、前記入力手段と電気的に接続している配線端部と前記アンテナ部材の端部が共通の支持部材に固定されていることを特徴とする携行補助用具。
【請求項２】
前記入力手段と電気的に接続している配線端部と前記アンテナ部材の端部が単一のプラグ端子に接続されている請求項１記載の携行補助用具。
【請求項３】
出力手段及びアンテナ部材が外装部材に覆われ、前記出力手段と電気的に接続している配線端部と前記アンテナ部材の端部が共通の支持部材に固定されていることを特徴とする携行補助用具。
【請求項４】
前記出力手段と電気的に接続している配線端部と前記アンテナ部材の端部が単一のプラグ端子に接続されている請求項３記載の携行補助用具。
【請求項５】
入力手段、出力手段及びアンテナ部材が外装部材に覆われ、前記入力手段及び出力手段と電気的に接続している配線端部と前記アンテナ部材の端部が共通の支持部材に固定されていることを特徴とする携行補助用具。
【請求項６】
前記入力手段及び前記出力手段と電気的に接続している配線端部と前記アンテナ部材の端部が単一のプラグ端子に接続されている請求項５記載の携行補助用具。
【請求項７】
前記アンテナ部材がロッド構造を有している請求項１ないし６のいずれかに記載の携行補助用具。
【請求項８】
前記アンテナ部材がループ構造を有している請求項１ないし６のいずれかに記載の携行補助用具。
【請求項９】
前記入力手段は複数個のスイッチからなるスイッチ集合体が抵抗部を介して複数個接続されている請求項１ないし８のいずれかに記載の携行補助用具。
【請求項１０】
前記入力手段が前記基板上に設けられた平面形状の導電体及び絶縁体からなる押圧型のスイッチを有している請求項１ないし９のいずれかに記載の携行補助用具。
【発明の詳細な説明】
【技術分野】
【０００１】
本発明は携帯用機器などを把持する携行補助用具に係り、特に、小型の携帯用機器において入出力操作部の設置空間を極小化することのできる携行補助用具に関する。
【背景技術】
【０００２】
近年、携帯電話、携帯型の映像音響機器、個人情報端末などの携帯用機器における小型化が進んでいる。電子部品の小型化、集積回路の性能向上、基板配置及び配線技術の進歩によって、携帯用機器の機能を担う部材の小型化が促進されている。一方、携帯用機器を操作する使用者とのインターフェース部分は使用者の身体的寸法に適した大きさを維持する必要があるが、携帯用機器の小型化が進むとインターフェース部分も小さくなって操作性が悪化するという問題が生じていた。
【０００３】
特許文献１には携帯用音響機器のリモコン装置が記載されている。このリモコン装置はフレキシブル基板上に形成された平面形状のプッシュ型スイッチを有する操作部とイヤホンの配線を外装部材で包んだものであり、生産性と審美性を得ることを目的としている。
【０００４】
また、特許文献２には携帯電話のハンドストラップの内部にアンテナを内包させて一体化させた考案が記載されている。
【特許文献１】特開２００１−２５８０７８号公報（第３、４頁、第１図、第２図）
【特許文献２】実開平６−７３０５号公報
【発明の開示】
【発明が解決しようとする課題】
【０００５】
特許文献１及び２には操作部とアンテナ部材を共通の外装部材で覆うことが記載されておらず、携帯用機器から操作部とアンテナ部材を独立して突出させる必要があり、携帯性及び操作性が低下していた。
【０００６】
また、特許文献１には操作部を外装部材で覆うときの好ましい操作部の構成についての記載がなく、特許文献２ではアンテナ部材を外装部材で覆うときのアンテナ部材の好ましい構成が記載されてない。
【０００７】
本発明は上記従来の課題を解決するためのものであり、携帯用機器の小型化の促進および操作性の向上を両立させることのできる携行補助用具を提供することを目的としている。
【課題を解決するための手段】
【０００８】
本発明の携行補助用具は、基板上に設けられた入力手段及びアンテナ部材が外装部材に覆われ、前記入力手段と電気的に接続している配線端部と前記アンテナ部材の端部が共通の支持部材に固定されていることを特徴とするものである。
【０００９】
また、前記入力手段と電気的に接続している配線端部と前記アンテナ部材の端部が単一のプラグ端子に接続されていることが好ましい。
【００１０】
あるいは、本発明の携行補助用具は、出力手段及びアンテナ部材が外装部材に覆われ、前記出力手段と電気的に接続している配線端部と前記アンテナ部材の端部が共通の支持部材に固定されていることを特徴とするものである。
【００１１】
このとき、前記出力手段と電気的に接続している配線端部と前記アンテナ部材の端部が単一のプラグ端子に接続されていることが好ましい。
【００１２】
あるいは、本発明の携行補助用具は、入力手段、出力手段及びアンテナ部材が外装部材に覆われ、前記入力手段及び出力手段と電気的に接続している配線端部と前記アンテナ部材の端部が共通の支持部材に固定されていることを特徴とするものである。
【００１３】
このときも、前記入力手段及び前記出力手段と電気的に接続している配線端部と前記アンテナ部材の端部が単一のプラグ端子に接続されていることが好ましい。
【００１４】
本発明では、前記入力手段、前記出力手段、アンテナ部材を共通の外装部材で覆うことにより、携帯用機器から前記入力手段、前記出力手段、アンテナ部材を単一の方向に引出すことができるので、携帯性及び操作性が向上する。
【００１５】
前記アンテナ部材はロッド構造またはループ構造を有していることが好ましい。
さらに、前記入力手段は複数個のスイッチからなるスイッチ集合体が抵抗部を介して複数個接続されていることが好ましい。
【００１６】
この構成により、一つの操作に対応するスイッチが近傍に複数個存在することになるので、機器に目的の操作を確実に命じることができる。
【００１７】
なお、前記入力手段として、前記基板上に設けられた平面形状の導電体及び絶縁体からなる押圧型のスイッチを有することができる。
【発明の効果】
【００１８】
本発明では、前記入力手段、前記出力手段、アンテナ部材を共通の外装部材で覆うことにより、携帯用機器から前記入力手段、前記出力手段、アンテナ部材を単一の方向に引出すことができるので、携帯性及び操作性が向上する。
【００１９】
また、前記入力手段を複数個のスイッチからなるスイッチ集合体が抵抗部を介して複数個接続されている構成により、一つの操作に対応するスイッチが近傍に複数個存在することになるので、機器に目的の操作を確実に命じることができる。
【発明を実施するための最良の形態】
【００２０】
図１は本発明の実施の形態を示す斜視図である。図１に示す携帯用機器１は、携帯型テレビ受像機をイメージしたものであり、ケース２に表示手段としての表示パネル３とチャンネル切り換えスイッチＳ１及び音量調節スイッチＳ２が搭載されている。表示パネル３はモノクロ型やカラー型の液晶パネルまたはＥＬパネルからなる。
【００２１】
符号５は本発明の携行補助用具の実施の形態であり、携帯用機器１の携帯用ストラップである。ただし、本発明の携行補助用具の形状はストラップに限らず平面形状であってもよい。
【００２２】
この携行補助用具５には、入力手段であるチャンネル切り換えスイッチＧ１、Ｇ２及び音量調節スイッチＧ３、Ｇ４が設けられている。チャンネル切り換えスイッチＧ１、Ｇ２及び音量調節スイッチＧ３、Ｇ４は、後に詳しく説明するが基板上に設けられた平面形状の導電体及び絶縁体からなる押圧型スイッチを有している。また、チャンネル切り換えスイッチＧ１、Ｇ２及び音量調節スイッチＧ３、Ｇ４は各々複数個の押圧型スイッチからなるスイッチ集合体であり、これらのスイッチ集合体が抵抗部を介して接続されている。
【００２３】
この構成により、一つの操作に対応するスイッチが近傍に複数個存在することになるので、機器に目的の操作を確実に命じることができる。
【００２４】
本発明の入力手段であるチャンネル切り換えスイッチＧ１、Ｇ２及び音量調節スイッチＧ３、Ｇ４と及びアンテナ部材７が外装部材８に覆われている。アンテナ部材７はケーブル状の線材によって形成されている。また、チャンネル切り換えスイッチＧ１、Ｇ２及び音量調節スイッチＧ３、Ｇ４、イヤホン６と電気的に接続している配線端部（図１には図示せず）とアンテナ部材７の端部が共通の支持部材９に固定されている。さらに、前記配線端部とアンテナ部材７の端部は単一のプラグ端子１０に接続されている。
【００２５】
プラグ端子１０は携帯用機器１のケース２の側面に設けられた端子接続部４に嵌合装着される。本実施の形態では、プラグ端子１０と端子接続部４を接続するだけで、イヤホン６とチャンネル切り換えスイッチＧ１、Ｇ２及び音量調節スイッチＧ３、Ｇ４とアンテナ部材７の全てを同時に、携帯用機器１内部の回路に接続することができる。
【００２６】
また、チャンネル切り換えスイッチＧ１、Ｇ２及び音量調節スイッチＧ３、Ｇ４とアンテナ部材７を共通の外装部材８で覆うことにより、携帯用機器１からチャンネル切り換えスイッチＧ１、Ｇ２及び音量調節スイッチＧ３、Ｇ４とアンテナ部材７を単一の方向に引出すことができるので、携帯性及び操作性が向上する。
【００２７】
なお、携行補助用具５を携帯用機器１に確実に固定するために、携行補助用具５の支持部材９に取付けられた固定用紐１１を、携帯用機器１のケース２に設けられた固定把手１２に固定することが好ましい。
【００２８】
本実施の形態では、チャンネル切り換えスイッチＧ１、Ｇ２及び音量調節スイッチＧ３、Ｇ４並びにアンテナ部材７が外装部材８に覆われ、それぞれの端部が共通の支持部材９に固定されている構成を示した。ただし、チャンネル切り換えスイッチＧ１、Ｇ２及び音量調節スイッチＧ３、Ｇ４とアンテナ部材７並びにイヤホン６が外装部材８に覆われ、それぞれの端部が共通の支持部材９に固定されている構成でもよい。または、イヤホン６とアンテナ部材７のみが外装部材８に覆われ、それぞれの端部が共通の支持部材９に固定されている構成でもよい。
【００２９】
図１では、外装部材８に覆われているアンテナ部材７はループ構造を有している。ただし、本発明ではロッド状のアンテナ部材を外装部材で覆ってもよい。
【００３０】
次に、図１に示された携行補助用具のチャンネル切り換えスイッチＧ１、Ｇ２及びアンテナ部材７並びにチャンネル切り換えスイッチＧ１、Ｇ２及び音量調節スイッチＧ３、Ｇ４とイヤホン６と電気的に接続している配線端部とアンテナ部材７の端部周辺の構造について図２の部分分解斜視図を参照して詳しく説明する。
【００３１】
チャンネル切り換えスイッチＧ１、Ｇ２は絶縁体を介して対向する一対の導電体を有する積層体２０が合成樹脂の成型品である保持部材２１内に保持されている。本実施の形態では、保持部材２１は二つ折可能となっており、上部２１ａと下部２１ｂの間に積層体２０とアンテナ部材７が狭持されている。保持部材２１の上部２１ａには窓部２１ｃが開口されていて、この窓部２１ｃ内に押圧部２２が形成されている。
【００３２】
図３は図２に示されたチャンネル切り換えスイッチＧ２を３−３線で切断し矢印方向から見た部分断面図である。なお、図３では外装部材８の図示を省略している。
【００３３】
図３に示されるように、積層体２０では、導電体２０ｂと導電体２０ｃが樹脂などからなる絶縁体２０ｅを介して対向しており、導電体２０ｂはフレキシブル絶縁体２０ａに固定され、導電体２０ｃはフレキシブル絶縁体２０ｄに固定されている。この積層体２０が保持部材２１の上部２１ａと下部２１ｂの間に狭持されている。保持部材２１の上部２１ａに設けられた窓部２１ｃ内に押圧部２２が形成されており、押圧部２２は保持部材２１の上部２１ａを支点として撓むことができる。押圧部２２に押圧力を加えて撓ませると、押圧部２２がフレキシブル絶縁体２０ａと導電体２０ｂを押圧する。すると、フレキシブル絶縁体２０ａと導電体２０ｂが撓んで、導電体２０ｂと導電体２０ｃが接触して通電する。押圧部２２と押圧部２２の下に位置するフレキシブル絶縁体２０ａ、導電体２０ｂ、導電体２０ｃ、フレキシブル絶縁体２０ｄが一つの押圧型スイッチ２３を構成しており、押圧型スイッチ２３が並列に複数個（例えば２個から６個）接続されたスイッチ集合体がチャンネル切り換えスイッチＧ２となる。
【００３４】
なお、チャンネル切り換えスイッチＧ１もチャンネル切り換えスイッチＧ２と同様の押圧型スイッチが、並列に複数個接続されているスイッチ集合体である。後に詳しく説明するがチャンネル切り換えスイッチＧ１とチャンネル切り換えスイッチＧ２は抵抗部を介して並列接続されている。
【００３５】
また、音量調節スイッチＧ３、Ｇ４の構造もチャンネル切り換えスイッチＧ１、Ｇ２と同様なので説明を省略する。音量調節スイッチＧ３、Ｇ４はチャンネル切り換えスイッチＧ１、Ｇ２と抵抗部を介して並列接続されている。
【００３６】
図２に示されるように、保持部材２１は外装部材８によって包まれており、チャンネル切り換えスイッチＧ２であることを示す表示部８ａやチャンネル切り換えスイッチＧ１であることを示す表示部８ｂが表面に設けられている。
【００３７】
本実施の形態では表示部８ａの周辺にチャンネル切り換えスイッチＧ２を構成する押圧型スイッチ２３が複数個存在している。チャンネル切り換えスイッチＧ２を構成する押圧型スイッチ２３のいずれが操作されても同種のチャンネル操作が行なわれるので機器に目的の操作を確実に命じることが容易になる。
【００３８】
チャンネル切り換えスイッチＧ１でも同様に、これを構成している複数の押圧型スイッチのいずれを押しても目的の操作が行なわれる。音量調節スイッチＧ３、Ｇ４でも同様である。
【００３９】
また、図２に示されるように、積層体２０が延長されてチャンネル切り換えスイッチＧ１、Ｇ２及び音量調節スイッチＧ３、Ｇ４の配線端部２０ｇとなっている。本実施の形態では、本発明の入力手段であるチャンネル切り換えスイッチＧ１、Ｇ２及び音量調節スイッチＧ３、Ｇ４の配線端部２０ｇ、出力手段であるイヤホン６の配線端部６ａ及びアンテナ部材７の端部７ａが共通の支持部材９に固定されている。
【００４０】
さらに、配線端部２０ｇ、配線端部６ａ、アンテナ部材の端部７ａが単一のプラグ端子１０に接続されている。配線端部６ａはプラグ端子１０の第１部位１０ａに接続され、アンテナ部材の端部７ａはプラグ端子１０の第２部位１０ｂに接続され、配線端部２０ｇの導電体２０ｂはプラグ端子１０の第３部位１０ｃに接続され、配線端部２０ｇの導電体２０ｃはプラグ端子１０の第４部位１０ｄに接続されている。なお、プラグ端子１０の第４部位１０ｄはアース接続されるグランド端子である。また、アンテナ部材７にアース線を設けてこのアース線をプラグ端子１０の第４部位１０ｄに接続してもよい。
【００４１】
図４は本発明の携行補助用具の他の実施の形態を示す部分分解斜視図である。図４に示される携行補助用具３１はアンテナ部材３０が導線ケーブルで形成されるかわりに、フレキシブルフラットケーブル（ＦＦＣ）で形成されている点で図２に示された携行補助用具５と異なっている。図２に示された携行補助用具５と共通の構成要素には同一の符号を付し詳しい説明を省略する。
【００４２】
平面形状の導体が可撓性のフレキシブル絶縁体に挟まれた構成を有するＦＦＣは、保持部材２１の裏面側に貼り付けられている。保持部材２１の裏面側とは押圧部２２が配置される窓部２１ｃが形成される面と反対側の面である。
【００４３】
図５は図４に示されたチャンネル切り換えスイッチＧ２を５−５線で切断し矢印方向から見た部分断面図である。なお、図５では外装部材８の図示を省略している。
【００４４】
積層体２０、保持部材２１、押圧部２２は図３と同じものである。図５では、保持部材２１の下部２１ｂの下にＦＦＣからなるアンテナ部材３０が導電性材料からなるシールド層３１を介して設けられている。
【００４５】
アンテナ部材３０は合成樹脂性の可撓性を有する基板３０ａ上に、フレキシブル絶縁体３０ｂ、導体３０ｃ、フレキシブル絶縁体３０ｄが順に積層されたものである。
【００４６】
本実施の形態ではアンテナ部材３０と積層体２０の間にシールド層３１が形成されているので、アンテナ部材に混入するノイズを低減することができる。シールド層３１をプラグ端子１０の第４部位１０ｄに接続することが好ましい。本発明では全てのアース接続する配線をプラグ端子１０の第４部位１０ｄに接続することができる。
【００４７】
また図示はしないが、積層体２０が延長されてチャンネル切り換えスイッチＧ１、Ｇ２及び音量調節スイッチＧ３、Ｇ４の配線端部となっており、この配線端部、イヤホンの配線端部及びアンテナ部材３０の端部が共通の支持部材に固定されている。さらに、配線端部、配線端部、アンテナ部材３０の端部が単一のプラグ端子に接続されている。配線端部の構成は図２に示される構成と同様である。
【００４８】
図６は図１ないし図３に示された携行補助用具５の回路図である。
前述したように、イヤホン６の配線端部６ａはプラグ端子１０の第１部位１０ａに接続され、アンテナ部材の端部７ａはプラグ端子１０の第２部位１０ｂに接続され、配線端部２０ｇの導電体２０ｂはプラグ端子１０の第３部位１０ｃに接続され、配線端部２０ｇの導電体２０ｃはプラグ端子１０の第４部位１０ｄに接続されている。なお、プラグ端子１０の第４部位１０ｄはアース接続されるグランド端子である。
【００４９】
チャンネル切り換えスイッチＧ１、Ｇ２及び音量調節スイッチＧ３、Ｇ４はいずれも複数個の押圧型スイッチ２３が並列接続されたスイッチ集合体であり、これらのスイッチ集合体間には抵抗部２０ｆが介在している。例えばスイッチ集合体間において、高比抵抗の材料をパターン成膜して抵抗部２０ｆを形成し、押圧型スイッチ２３の位置にある導電体２０ｂ同士をこの抵抗部２０ｆを介して接続する。あるいは、図３に示される積層体２０の導電体２０ｂのパターンをスイッチ集合体間において幅細にして、この幅細の部分を抵抗部２０ｆとすることもできる。抵抗部２０ｆの抵抗値は数１００Ωから数１００ｋΩであり、１．８ｋΩから２２ｋΩの範囲であることが好ましい。
【００５０】
例えば、チャンネル切り換えスイッチＧ１を構成する押圧型スイッチ２３のいずれかが接続状態になると、抵抗部２０ｆ一つ分の電圧降下がプラグ端子１０の第３部位１０ｃと第４部位１０ｄ（グランド端子）間に生じ、この電圧降下を携帯用機器側で読取ることによって、チャンネル切り換え操作が命じられたと解釈する。  
【００５１】
あるいは、音量調節スイッチＧ３を構成する押圧型スイッチ２３のいずれかが接続状態になると、抵抗部２０ｆ三つ分の電圧降下がプラグ端子１０の第３部位１０ｃと第４部位１０ｄ（グランド端子）間に生じ、この電圧降下を携帯用機器側で読取ることによって、音量調節操作が命じられたと解釈する。  
【００５２】
なお、本発明は携帯用テレビ受像機の携行補助用具に限られず、携帯電話、個人用情報端末（ＰＤＡ）などアンテナと入出力部を有する機器全ての携行補助用具として用いることができる。
【図面の簡単な説明】
【００５３】
【図１】本発明の実施の形態を示す斜視図、
【図２】図１の携行補助用具５の部分分解斜視図、
【図３】図２の携行補助用具５の部分断面図、
【図４】本発明の他の実施の形態の携行補助用具の部分分解斜視図、
【図５】図４の携行補助用具５の部分断面図、
【図６】図１ないし図３に示された携行補助用具５の回路図、
【符号の説明】
【００５４】
１ 携帯用機器
５ 、３１ 携行補助用具
６ イヤホン
７、３０ アンテナ部材
８ 外装部材
９ 支持部材
１０ プラグ端子
２０  積層体
２１ 保持部材
２２ 押圧部 
２３ 押圧型スイッチ
Ｇ１、Ｇ２  チャンネル切り換えスイッチ
Ｇ３、Ｇ４  音量調節スイッチ
【図１】
2005340868.tif 000003
【図２】
2005340868.tif 000004
【図３】
2005340868.tif 000005
【図４】
2005340868.tif 000006
【図５】
2005340868.tif 000007
【図６】
2005340868.tif 000008